(57)【要約】【課題】組立住宅を含む一般住宅の軒先の鼻隠し板などの被取着面に、簡単な構造で、容易に水勾配を出して軒樋を取り付けることのできる軒樋支持具を提供する。【解決手段】被取着面に固着される固定板部１と軒樋を吊り下げ支持する軒樋吊り下げ部２とからなる軒樋支持具であって、上記固定板部１の左右両側に長孔を設け、該長孔の相対向する内側面の上面側を座繰りして固着具４が貫通する横断面Ｔ字状の貫通係止孔３を形成し、上記被取着面に仮固定された該固着具４の軸部４２に上記固定板部１の長孔部３１がスライド自在に仮止めされ、位置決め後、本固定された上記固着具４のヘッド部４１が上記貫通係止孔３の段部に没入される軒樋支持具Ａ。【選択図】図１
2009121196.tif 000002
【特許請求の範囲】
【請求項１】
被取着面に固着される固定板部と軒樋を吊り下げ支持する軒樋吊り下げ部とからなる軒樋支持具であって、上記固定板部の左右両側に長孔を設け、該長孔の相対向する内側面の上面側を座繰りして固着具が貫通する横断面Ｔ字状の貫通係止孔を形成し、上記被取着面に仮固定された該固着具の軸部に上記固定板部の長孔部をスライド自在に仮止めし、位置決め後、本固定し上記固着具のヘッド部が上記貫通係止孔の段部に没入される軒樋支持具。
【請求項２】
上記固定板部の左右両側に長孔を設け、該長孔の相対向する内側面の上面側を座繰りして固着具が貫通する横断面Ｔ字状の貫通係止孔を形成し、座繰りをされた部分に相対向する突起部を設けて上下に連続する浅い半円筒空部を凹設するとともに、相対向する半円筒空部によって形成される陥入部に上記固着具のヘッド部が没入する請求項１に記載の軒樋支持具。
【請求項３】
上記固定板部の左右両側に長孔を設け、該長孔の相対向する内側面の上面側を座繰りして固着具が貫通する横断面Ｔ字状の貫通係止孔を形成し、座繰りをされた部分に相対向する突起部を設けて上下に間隔をあけて浅い半円筒空部を凹設するとともに、相対向する半円筒空部によって形成される陥入部に上記固着具のヘッド部が没入する請求項１に記載の軒樋支持具。
【請求項４】
上記固定板部と軒樋吊り下げ部とが合成樹脂から一体成形されるとともに、固着具がタッピングビスである請求項１に記載の軒樋支持具。
【発明の詳細な説明】
【技術分野】
【０００１】
本願発明は、軒樋支持具に係り、さらに詳しくは、建物の軒先に設けられる鼻隠し板等の被取着面に固着され、軒樋を吊り下げて支持する軒樋支持具に関するものである。
【背景技術】
【０００２】
従来、住宅の軒先に軒樋を取り付ける場合、通常、軒先の鼻隠し板などに吊金具を用いて施工することが行われている。この吊金具は屋根の先端との位置関係で、軒先の定まった位置に固定しなければならない。特に、住宅ユニットを予め工場で製作し、現場で組み立てる組立住宅の工法を取る場合等、軒樋は雨水を流すため、上記位置関係に注意を払い、勾配を設けて取り付ける必要がある。
【０００３】
従来、この勾配は、水糸を張って水平レベルを取った後、吊金具の上下位置を僅かに調節して、緩やかな勾配、すなわち水勾配を出して取り付けられていた。しかし、このような吊金具の位置決め作業は手間もかかり、熟練を有するものであるため、その作業は専ら、樋工事専門の施工業者によって行われてきた。
【０００４】
そこで、上記課題を解決するために、例えば、下記特許文献１には、組立住宅の軒樋の取り付け方法が開示されている。すなわち、組立住宅の軒先に軒樋支持具の取着部を取り付け、この軒樋支持具に軒樋を取り付ける軒樋の取り付け方法において、前記軒樋支持具の取着部に上下方向に細長い取り付け孔を設け、組立住宅の単位である住宅ユニットの軒先に、予め、前記軒樋支持具の取着部の細長い取り付け孔にビスを挿入して、軒樋支持具を仮止めして取り付け、この住宅ユニットの複数個を住宅に組み立てた後に、軒樋の傾斜に応じて、前記取着部に設けられた細長い取り付け孔の範囲内で、軒樋支持具を上下させて、軒樋支持具の高さを調節し、前記ビスで軒樋支持具を固定した後、軒樋を軒樋支持具に取り付けることを特徴とする組立住宅の軒樋の取り付け方法が提案されている。
【０００５】
そして、上記した発明では、最終的に軒樋支持具を、取着部に設けられた上下方向に細長い取り付け孔で固定するが、長期間経過して、軒樋が下方に擦れ落ちる心配があれば、更に、通常の丸いビス孔を設け、施工時に、このビス孔で軒樋支持具を固定して、下方に擦れ落ちることを防止することもできると記載されている。
【特許文献１】特開平４−９３４５２号公報（第１〜３頁、第１図、第３図、第４図）
【発明の開示】
【発明が解決しようとする課題】
【０００６】
上記従来例である特許文献１に記載の組立住宅の軒樋の取り付け方法にあっては、取着部に設けられた細長い取り付け孔の範囲内で、軒樋支持具を上下させて、軒樋支持具の高さを調節し、ビスで軒樋支持具を固定した後、長期間経過して、軒樋が下方に擦れ落ちる心配があれば、更に、通常の丸いビス孔を設け、二重にビス固定し、軒樋が下方に擦れ落ちることを防止することもできるとされている。しかしながら、上記構成では、要する部品の数が増し、また、二度手間となり、作業性が悪くなるという問題がある。本願発明は、上記背景技術に鑑みてなしたものであり、その目的は、組立住宅を含む一般住宅の軒先の鼻隠し板などの被取着面に、簡単な構造で、容易に水勾配を出して軒樋を取り付けることのできる軒樋支持具を提供することである。
【課題を解決するための手段】
【０００７】
上記課題を解決するために、本願請求項１記載の発明に係る軒樋支持具は、被取着面に固着される固定板部と軒樋を吊り下げ支持する軒樋吊り下げ部とからなる軒樋支持具であって、上記固定板部の左右両側に長孔を設け、該長孔の相対向する内側面の上面側を座繰りして固着具が貫通する横断面Ｔ字状の貫通係止孔を形成し、上記被取着面に仮固定された該固着具の軸部に上記固定板部の長孔部をスライド自在に仮止めし、位置決め後、本固定した上記固着具のヘッド部が上記貫通係止孔の段部に没入されることを特徴としている
。
【０００８】
本願請求項２記載の発明は、上記請求項１に記載の軒樋支持具において、上記固定板部の左右両側に長孔を設け、該長孔の相対向する内側面の上面側を座繰りして固着具が貫通する横断面Ｔ字状の貫通係止孔を形成し、座繰りをされた部分に相対向する突起部を設けて上下に連続する浅い半円筒空部を凹設するとともに、相対向する半円筒空部によって形成される陥入部に上記固着具のヘッド部が没入することを特徴としている。
【０００９】
本願請求項３記載の発明は、上記請求項１に記載の軒樋支持具において、上記固定板部の左右両側に長孔を設け、該長孔の相対向する内側面の上面側を座繰りして固着具が貫通する横断面Ｔ字状の貫通係止孔を形成し、座繰りをされた部分に相対向する突起部を設けて上下に間隔をあけて浅い半円筒空部を凹設するとともに、相対向する半円筒空部によって形成される陥入部に上記固着具のヘッド部が没入することを特徴としている。
【００１０】
本願請求項４記載の発明は、上記請求項１に記載の軒樋支持具において、上記固定板部と軒樋吊り下げ部とが合成樹脂から一体成形されるとともに、固着具がタッピングビスであることを特徴としている。上記合成樹脂としては、例えば、ＰＣ（ポリカーボネート）樹脂、硬質塩化ビニル樹脂、ＡＢＳ樹脂、ポリエステル樹脂、あるいはポリフェニレンサルファイド樹脂、ポリエーテルケトン樹脂、ポリエーテルエーテルケトン樹脂、ポリスルフォン樹脂などのエンジニアリング樹脂を使用することができる。
【００１１】
上記軒樋支持具は、上記した合成樹脂を公知の金型成形法により、一体的に成形して用いられる。また、タッピングビスとしては、鋼性またはステンレススティール製のものが用いられる。
【発明の効果】
【００１２】
本願請求項１に記載の発明に係る軒樋支持具は上記のとおりであり、特に、固定板部と軒樋吊り下げ部とからなり、上記固定板部の左右両側に設けられた長孔の相対向する内側面の上面側を座繰りして横断面Ｔ字状の貫通係止孔を形成し、被取着面に仮固定された固着具、例えば、タッピングビスの軸部に上記固定板部の長孔部がスライド自在に仮止めされるため、予め、鼻隠し板等の被取着面に水糸を張って示された水平線に沿って固定板部を水平に仮止めすることができる。
【００１３】
その後、所定の水勾配となるように、上記固定板部の長孔部をスライドさせて微調整し、固定板部の位置決めを行い、所定の水勾配を設けることができる。水勾配を出して設けられた上記軒樋支持具は、当然軒樋も水勾配を出して吊り下げ支持するため、雨水の流れに影響を与えることなく、軒樋の中を雨水がスムースに流れ、集水器等を経て外部に排水することができる。
【００１４】
また、複数の軒樋支持部を水勾配を簡単に出して設けることが可能となるため、従来、熟練を要した軒樋支持部の位置決め作業をきわめて容易に行うことができる。さらに、固着具、例えば、タッピングビスのヘッド部（ネジ頭部）が上記段部に没入し、隠れて外から見えることがないため、外観的にも優れた軒樋支持具とすることができる。
【００１５】
本願請求項２に記載の発明に係る軒樋支持具においては、特に、上記固定板部の左右両側に設けられた長孔の相対向する内側面の上面側を座繰りして横断面Ｔ字状の貫通係止孔を形成するとともに、座繰りをされた部分に相対向する突起部を設けて上下に連続する浅い半円筒空部が凹設されているため、被取着面に仮固定された固着具の軸部に上記固定板部の長孔部がスライド自在に仮止め可能であり、予め、鼻隠し板等の被取着面に水糸を張って示された水平線に沿って固定板部を仮止めすることができる。
【００１６】
その後、所定の水勾配となるように、上記固定板部の長孔部を上下に段階的にスライドさせて調整し、固定板部の本固定を行い、相対向する半円筒空部によって形成される陥入部に上記固着具のヘッド部（ネジ頭部）を没入させる。このようにして軒樋を緩やかな水勾配を持って被取着面に容易に取り付けることができるとともに、固着具、例えば、タッピングビスのヘッド部（ネジ頭部）が上記段部に没入し、隠れて外から見えることがないため、外観的にも優れた軒樋支持具とすることができる。
【００１７】
本願請求項３に記載の発明にかかる軒樋支持具においては、特に、上記固定板部の左右両側に設けられた長孔の相対向する内側面の上面側を座繰りして横断面Ｔ字状の貫通係止孔を形成するとともに、座繰りをされた部分に相対向する突起部を設けて上下に間隔をあけて浅い半円筒空部が凹設されているため、被取着面に仮固定された固着具の軸部に上記固定板部の長孔部がスライド自在に仮止め可能であり、予め、鼻隠し板等の被取着面に水糸を張って示された水平線に沿って固定板部を仮止めすることができる。
【００１８】
その後、所定の水勾配となるように、上記固定板部の長孔部を上下にさらに段階的にスライドさせて調整し、固定板部の本固定を行い、相対向する半円筒空部によって形成される陥入部に上記固着具のヘッド部（ネジ頭部）を没入させる。このようにして軒樋を緩やかな水勾配を持って被取着面に簡単に取り付けることができるとともに、固着具、例えば、タッピングビスのヘッド部（ネジ頭部）が上記段部に没入し、隠れて外から見えることがないため、外観的にも優れた軒樋支持具とすることができる。
【００１９】
本願請求項４に記載の発明にかかる軒樋支持具においては、特に、上記固定板部と軒樋吊り下げ部とを合成樹脂から一体的に成形するとともに、固着具をタッピングビスとすることにより、合成樹脂からなる固定板部に穿たれた貫通係止孔に金属製のタッピングビスを容易にねじ込むことが可能となり、仮固定、仮止め作業を容易に行うことができる。
【発明を実施するための最良の形態】
【００２０】
以下、本願発明に係る軒樋支持具について図面を参照して詳細に説明する。図１は、第１実施形態に係る軒樋支持具Ａを示す斜視図であり、鼻隠し板等の被取着面に固着される固定板部１と図外軒樋を支持する軒樋吊り下げ部２とから構成される。図１に示すように、上記固定板部１の左右両側には貫通係止孔３が設けられ、上記軒樋吊り下げ部２は、上記固定板部１に連結される吊り下げ部本体２１と図外軒樋の前耳部を係止する前耳係止部２２と図外軒樋の後耳部を係止する後耳係止部２３とを含んでなる。
【００２１】
図２は、図１に示すＸ−Ｘ線に沿う横断面図である。図１、図２に示すように、上記固定板部１の左右両側には貫通係止孔３が設けられ、この貫通係止孔３は固定板部１に穿設された長孔の上面側を座繰りして横断面略Ｔ字状とされ、座繰りをされていない長孔部３１は固着具として用いたタッピングビス４の軸部４２を仮止めするスリットとして機能し、座繰りをされた部分は上記タッピングビス４のヘッド部４１を収める没入部３２とされている。ここで、上記長孔部３１の幅Ｄ１はタッピングビス４の軸部４２の直径と略同等とされ、没入部３２の幅Ｄ２はタッピングビス４のヘッド部４１の直径ｄ２よりも、やや大きくされている。
【００２２】
図３は、固定板部１に設けられた貫通係止孔３にタッピングビス４をねじ込み、鼻隠し板５に仮固定した状態を示す説明図である。このとき、複数の軒樋支持具Ａは適当な間隔をあけて、鼻隠し板５に、水糸を張って示されている水平線に沿って、水平レベルを出して仮固定される。すなわち、各固定板部１に穿たれた貫通係止孔３を挿通するタッピングビス４を鼻板５にねじ込んで各軒樋支持具Ａを仮固定し、その後固定板部１の長孔部３１をタッピングビス４の軸部に沿ってスライドさせ、各軒樋支持具Ａの取り付け高さを調整する。このとき、固定板部１に力を加えればスライドできる程度にタッピングビス４の軸部４２は長孔部３１にしっかりと挟持されている。そして、各軒樋支持具Ａは緩やかな勾配が出るように、その取り付け高さが調整される。
【００２３】
上記のようにして、タッピングビス４で鼻隠し板５に仮固定され、軸部４２で仮止めされて位置調整された各固定板部１は、ついで、本固定される。すなわち、図４に示すように、タッピングビス４をさらにねじ込み、固定板部１を鼻隠し板５に本固定する。通常、上記本固定は、固定板部１の左右両側に設けられた貫通係止孔３の上下に４本のタッピングビス４を螺入して行われる。
【００２４】
図５（ａ）、図５（ｂ）は、上記軒樋支持具Ａを水勾配を設けて鼻隠し板５に取り付ける方法を模式的に示す説明図である。図５（ａ）に示すように、予め、水平レベルが出された水糸６に沿って固定板部１を配設し、貫通係止孔３を貫通するタッピングビス４を鼻隠し板５にねじ込み、仮固定する。このとき、上記したように、固定板部１に力を加えればスライドできる程度にタッピングビス４の軸部４２は長孔部３１にしっかりと挟持されている。
【００２５】
ついで、各固定板部１を上下にスライドさせてタッピングビス４との相対位置を微調整し、水勾配を設けてタッピングビス４をねじこむ。図５（ｂ）は、３個の軒樋支持具Ａの相対位置を微調整し、点線で示す水勾配を設けて４本のタッピングビス４で本固定を行った状態を模式的に示す。上記のようにして水勾配を出して鼻隠し板５に固着された軒樋支持具Ａで吊り下げ支持される図外軒樋も当然、水勾配を出して取り付けられるため、雨水をスムースに流すことができる。図６は、鼻隠し板５に固定された上記軒樋支持具Ａを示す正面図である。
【００２６】
図７は、本願発明の第２実施形態に係る軒樋支持具Ｂを示す正面図である。本実施形態においては、第１実施形態において固定板部１の貫通係止孔３の内側面に座繰りをして設けられた段部に、相対向する突起部３３を設け、座繰りをされた部分に浅い半円筒空部３４を上下に連続して凹設した形態とされている。このようにすることにより、相対向する半円筒空部３４が合同して上記タッピングビス４のヘッド部４１が陥入する陥入部を形成することができる。
【００２７】
第２実施形態においても、第１実施形態と同様にして、上記貫通係止孔３を挿通し、被取着面に仮固定されたタッピングビス４の軸部４２を長孔部３１で挟持するとともに、固定板部１をスライドさせ高さ調整することができる。すなわち、軒樋支持具Ｂの取り付け高さを段階的に調整した後、タッピングビス４を半円筒空部３４においてねじ込んで被取着面に固着することができる。
【００２８】
上記第２実施形態においては、座繰りをされた部分に浅い半円筒空部３４を上下に連続して凹設する形態を示したが、連続することなく、間隔をあけて浅い半円筒空部３４を列設し、軒樋支持具Ｂの取り付け高さを段階的に調整した後、タッピングビス４を半円筒空部３４においてねじ込んで被取着面に固着することもできる。このように、本願発明は設計変更自在であり、特許請求の範囲を逸脱しない限り、本願発明の技術的範囲に属する。
【図面の簡単な説明】
【００２９】
【図１】本願発明の第１実施形態に係る軒樋支持具を示す斜視図。
【図２】図１に示すＸ−Ｘ線に沿う横断面図。
【図３】固定板部に設けられた貫通係止孔にタッピングビスをねじ込み、鼻隠し板に仮固定した状態を示す説明図。
【図４】固定板部に設けられた貫通係止孔にタッピングビスをねじ込み、鼻隠し板に本固定した状態を示す説明図。
【図５】（ａ）第１実施形態に係る軒樋支持具を水糸に沿って水平に配設し、鼻隠し板に仮固定する状態を模式的に示す説明図。
【００３０】
（ｂ）第１実施形態に係る軒樋支持具を水勾配を設けて右下がりに鼻隠し板に本固定した状態を模式的に示す説明図。
【図６】鼻隠し板に固定した第１実施形態に係る軒樋支持具を示す正面図。
【図７】本願発明の第２実施形態に係る軒樋支持具を示す正面図。
【符号の説明】
【００３１】
Ａ      本願発明の第１実施形態に係る軒樋支持具
Ｂ      本願発明の第２実施形態に係る軒樋支持具
Ｄ１    本願発明の第１実施形態に係る貫通係止孔の長孔部の幅
Ｄ２    本願発明の第１実施形態に係る貫通係止孔の没入部の幅
ｄ１    本願発明の第１実施形態に係るタッピングビスの軸部の直径
ｄ２    本願発明の第１実施形態に係るタッピングビスのヘッド部の直径
１      固定板部
２      軒樋吊り下げ部
２１    吊り下げ部本体
２２    前耳係止部
２３    後耳係止部
３      貫通係止孔
３１    長孔部
３２    没入部
３３    第２実施形態における突起部
３４    第２実施形態における半円筒空部
４      タッピングビス
４１    ヘッド部
４２    軸部
５      鼻隠し板
６      水糸
【図１】
2009121196.tif 000003
【図２】
2009121196.tif 000004
【図３】
2009121196.tif 000005
【図４】
2009121196.tif 000006
【図５】
2009121196.tif 000007
【図６】
2009121196.tif 000008
【図７】
2009121196.tif 000009